(57)【要約】【課題】未使用のケーブルを簡易に特定する。【解決手段】ケーブル７０Ａのモジュラープラグ７１Ａに、より対線のペアとならないように電線を結線する閉回路装置１０を接続し、ケーブル７０Ａに電気的に接続されたケーブル７０Ｂのモジュラープラグ７１Ｂに、閉回路装置１０が結線した電線に電圧を印加する電圧印加装置２０を接続してケーブル７０Ａ，７０Ｂに電流を流し、検磁装置３０をケーブルに近づけてケーブル７０Ａ，７０Ｂで発生する磁界を検出する。これにより、未使用のケーブル７０Ａ，７０Ｂを特定することが可能となる。【選択図】図１
2018100831.tif 000002
【特許請求の範囲】
【請求項１】
ケーブルの端に接続されて、当該ケーブルの電線同士を結線する閉回路構成手段と、
前記ケーブルの別の端又は前記ケーブルと電気的に接続された別のケーブルの端に接続されて、前記閉回路構成手段が結線した前記電線に電圧を印加する電圧印加手段と、
前記ケーブル及び前記別のケーブルに流れる電流により発生した磁界を検出する検磁手段と、
を有することを特徴とするケーブル特定装置。
【請求項２】
ケーブルの端において、当該ケーブルの電線同士を結線するステップと、
前記ケーブルの別の端又は前記ケーブルと電気的に接続された別のケーブルの端において、結線した前記電線に電圧を印加するステップと、
前記ケーブル及び前記別のケーブルに流れる電流により発生した磁界を検出するステップと、
を有することを特徴とするケーブル特定方法。
【発明の詳細な説明】
【技術分野】
【０００１】
本発明は、未使用のツイストペアケーブルを特定する技術に関する。
【背景技術】
【０００２】
ルータやスイッチなどのＡＣＴ／ＬＩＮＫランプを備えた通信装置に接続されるケーブルは、ＡＣＴ／ＬＩＮＫランプにより未使用であることの特定が容易である。
【０００３】
パッチパネルなどのＡＣＴ／ＬＩＮＫランプを備えていない通信装置に接続された未使用のケーブルを特定する場合は、例えば、ケーブルの片端からケーブルを物理的にたぐり、パッチパネルに接続されている他端を特定する方法が用いられる。あるいは、ケーブルの両端にケーブルを識別する情報を記載したタグを取り付けておく方法もある。
【０００４】
また、非特許文献１に示すような、外部給電によりケーブル両端のコネクタを発光させるＬＡＮケーブルを用いる方法もある。
【先行技術文献】
【非特許文献】
【０００５】
【非特許文献１】「ＬＥＤ発光機能付きＬＡＮケーブル」、［online］、２０１６年６月２９日、岡野電線株式会社、［平成２８年１１月１８日検索］、インターネット〈 URL：http://www.okano-cable.co.jp/products/pdf/led.pdf〉
【発明の概要】
【発明が解決しようとする課題】
【０００６】
しかしながら、ケーブルをたぐる方法では、ケーブルが長い場合は困難であるという問題があった。
【０００７】
タグを取り付ける方法では、タグが外れてしまったり、間違ったタグを取り付けてしまったり、接続先の変更を行いながらもタグの記載内容更新を忘れる場合は、ケーブルの他端の特定が困難になるという問題があった。
【０００８】
非特許文献１のＬＡＮケーブルを用いる方法は、既存のケーブルをそのまま利用できないという問題があった。
【０００９】
本発明は、上記に鑑みてなされたものであり、未使用のケーブルを簡易に特定することを目的とする。
【課題を解決するための手段】
【００１０】
第１の本発明に係るケーブル特定装置は、ケーブルの端に接続されて、当該ケーブルの電線同士を結線する閉回路構成手段と、前記ケーブルの別の端又は前記ケーブルと電気的に接続された別のケーブルの端に接続されて、前記閉回路構成手段が結線した前記電線に電圧を印加する電圧印加手段と、前記ケーブル及び前記別のケーブルに流れる電流により発生した磁界を検出する検磁手段と、を有することを特徴とする。
【００１１】
第２の本発明に係るケーブル特定方法は、ケーブルの端において、当該ケーブルの電線同士を結線するステップと、前記ケーブルの別の端又は前記ケーブルと電気的に接続された別のケーブルの端において、結線した前記電線に電圧を印加するステップと、前記ケーブル及び前記別のケーブルに流れる電流により発生した磁界を検出するステップと、を有することを特徴とする。
【発明の効果】
【００１２】
本発明によれば、未使用のケーブルを簡易に特定することができる。
【図面の簡単な説明】
【００１３】
【図１】本実施の形態におけるケーブル特定装置の構成を示す図である。
【図２】通信装置の接続状態の例を示す図である。
【図３】本実施の形態におけるケーブル特定装置を用いた未使用ケーブルの特定方法を説明する図である。
【発明を実施するための形態】
【００１４】
以下、本発明の実施の形態について図面を用いて説明する。
【００１５】
図１は、本実施の形態におけるケーブル特定装置の構成を示す図である。
【００１６】
本ケーブル特定装置は、ツイストペアケーブル（以下、「ケーブル」と称する）の片端でケーブルの電線を結線する閉回路装置１０、ケーブルの他端で閉回路装置１０が結線した電線に電圧を印加する電圧印加装置２０、及びケーブルに流れる電流を検出する検磁装置３０を備える。
【００１７】
閉回路装置１０は、ケーブルの端に取り付けられたモジュラープラグを挿入するためのモジュラージャック１１、モジュラージャック１１の２つのコンタクトピンを接続する結線１２、及び結線１２に接続されたＬＥＤ１３を備える。なお、結線１２は、より対線のペアとならないコンタクトピン同士を接続する。本実施の形態では、１番のコンタクトピンと６番のコンタクトピンを接続した。
【００１８】
電圧印加装置２０は、ケーブルの端に取り付けられたモジュラープラグを挿入するためのモジュラージャック２１、電圧を印加する２つのコンタクトピンに接続された結線２２、結線２２に直列に接続されたＬＥＤ２３、電源２４、及びスイッチ２５を備える。本実施の形態では、閉回路装置１０が結線した１番のコンタクトピンと６番のコンタクトピンに電圧を印加する。電源２４としては、乾電池などの直流電源を用いることができる。
【００１９】
検磁装置３０は、ケーブルに電流が流れることよって発生する磁界を検出し、閉回路装置１０及び電圧印加装置２０を取り付けたケーブルを特定する。
【００２０】
なお、図１は、ストレートケーブルに閉回路装置１０と電圧印加装置２０を接続する例を示したが、クロスケーブルにも同様に適用できる。閉回路装置１０と電圧印加装置２０とをケーブルに接続したときに閉回路が構成されるように、閉回路装置１０が結線するコンタクトピンと電圧印加装置２０が電圧を印加するコンタクトピンを適切に決める。あるいは、クロスケーブルをストレートケーブルに変換するアダプターを用いてもよい。
【００２１】
次に、本実施の形態におけるケーブル特定装置を用いた未使用ケーブルの特定方法について説明する。
【００２２】
図２は、通信装置の接続状態の例を示す図である。図３は、図２の接続状態から通信装置を撤去した後に、未使用ケーブルの特定方法を説明する図である。
【００２３】
図２に示すように、通信装置５０Ａ，５０Ｂがパッチパネル６０Ａ，６０Ｂを介して接続されているとする。通信装置５０Ａとパッチパネル６０Ａとはケーブル７０Ａで接続されている。通信装置５０Ｂとパッチパネル６０Ｂとはケーブル７０Ｂで接続されている。パッチパネル６０Ａ，６０Ｂ間は多対ケーブル８０で接続されている。
【００２４】
図２の状態から通信装置５０Ａ，５０Ｂを撤去すると、ケーブル７０Ａ，７０Ｂそれぞれの片端のモジュラープラグ７１Ａ，７１Ｂが機器に接続されていない状態となる。ケーブル７０Ａ，７０Ｂが接続されたパッチパネル６０Ａ，６０Ｂは、使用状態が確認できるランプを備えてないため、未使用のケーブル７０Ａ，７０Ｂのモジュラープラグ７２Ａ，７２Ｂを確実に特定することが困難である。
【００２５】
従来のケーブルをたぐる方法では、モジュラープラグ７１Ａ，７１Ｂからケーブル７０Ａ，７０Ｂのそれぞれをたぐり、パッチパネル６０Ａ，６０Ｂに接続されたモジュラープラグ７２Ａ，７２Ｂを特定する。ケーブルが長い場合や多数のケーブルが存在する場合は、ケーブルをたぐりパッチパネルに接続された他端を特定することが困難である。
【００２６】
そこで、本実施の形態では、図３に示すように、通信装置５０Ａ，５０Ｂを撤去した後、モジュラープラグ７１Ａ，７１Ｂのそれぞれを閉回路装置１０と電圧印加装置２０に接続し、電圧印加装置２０のスイッチ２５をオンにする。これにより、ケーブル７０Ａの片端でケーブルの電線が結線され、パッチパネル６０Ａ，６０Ｂを介してケーブル７０Ａに接続されたケーブル７０Ｂの片端から電線に電圧が印加されて、ケーブル７０Ａ，７０Ｂに電流が流れる。ケーブル７０Ａ，７０Ｂに電流が流れたか否かは、閉回路装置１０、電圧印加装置２０のＬＥＤ１３，２３が点灯したか否かを確認することで判定できる。
【００２７】
ケーブル７０Ａ，７０Ｂに電流を流した後、検磁装置３０をケーブルに近づけてケーブル７０Ａ，７０Ｂで発生する磁界を検出し、ケーブル７０Ａ，７０Ｂを特定する。パッチパネル６０Ａ，６０Ｂそれぞれの近くでケーブル７０Ａ，７０Ｂを特定すると、パッチパネル６０Ａ，６０Ｂに接続されたモジュラープラグ７２Ａ，７２Ｂの特定が容易である。その後は、パッチパネル６０Ａ，６０Ｂからモジュラープラグ７２Ａ，７２Ｂを取り外してケーブル７０Ａ，７０Ｂを撤去できる。
【００２８】
以上説明したように、本実施の形態によれば、ケーブル７０Ａのモジュラープラグ７１Ａに、より対線のペアとならないように電線を結線する閉回路装置１０を接続し、ケーブル７０Ａに電気的に接続されたケーブル７０Ｂのモジュラープラグ７１Ｂに、閉回路装置１０が結線した電線に電圧を印加する電圧印加装置２０を接続してケーブル７０Ａ，７０Ｂに電流を流し、検磁装置３０をケーブルに近づけてケーブル７０Ａ，７０Ｂで発生する磁界を検出することで、未使用のケーブル７０Ａ，７０Ｂを特定することが可能となる。
【符号の説明】
【００２９】
１０…閉回路装置
１１…モジュラージャック
１２…結線
１３…ＬＥＤ
２０…電圧印加装置
２１…モジュラージャック
２２…結線
２３…ＬＥＤ
２４…電源
２５…スイッチ
３０…検磁装置
５０Ａ，５０Ｂ…通信装置
６０Ａ，６０Ｂ…パッチパネル
７０Ａ，７０Ｂ…ケーブル
７１Ａ，７１Ｂ，７２Ａ，７２Ｂ…モジュラープラグ
８０…多対ケーブル
【図１】
2018100831.tif 000003
【図２】
2018100831.tif 000004
【図３】
2018100831.tif 000005